(57)【要約】【課題】嵩が低く持ち運びに便利であり、各規格サイズの同軸ケーブルおよび各種のコネクタに対応することができ、しかも同軸ケーブル剥き長さを容易に揃えることができ、かつ組付け加工時のコネクタのホールド性を高めコネクタ組付け時の加工性に優れたケーブル端末処理具を提供する。【解決手段】掌に収まりやすい大きさと形状を有したベース材１に、コネクタＣの雌側規格に適合した雄側規格を有する突起部材２を取り付けたものとすると共に、前記ベース材１の側面を同軸ケーブルＡの外側シースＡａの剥き長さに合わせた寸法に設定したものとしている。【選択図】    図１
2010067467.tif 000002
【特許請求の範囲】
【請求項１】
掌に収まりやすい大きさと形状を有したベース材（１）に、コネクタ（Ｃ）の雌側規格に適合した雄側規格を有する突起部材（２）を取り付けたものとすると共に、前記ベース材（１）の側面を同軸ケーブル（Ａ）の外側シース（Ａａ）の剥き長さに合わせた寸法に設定したことを特徴とするケーブル端末処理具。
【請求項２】
前記ベース材（１）に、前記突起部材（２）を着脱自在として取り付けたことを特徴とする請求項１記載のケーブル端末処理具。
【請求項３】
前記ベース材（１）に、各種規格サイズの同軸ケーブル（Ａ）の外側シース（Ａａ）の外径が段（５ａ）の位置まで通過できるように大径にし、段（５ａ）の位置から先は絶縁体（Ａｃ）の外径のみが通過できるように小径にした複数の段付貫通孔（５）を設けたことを特徴とする請求項１または２記載のケーブル端末処理具。
【請求項４】
前記突起部材（２）を、ベース材（１）を手で握った状態において、掌の上半部に位置するようにしたことを特徴とする請求項１〜３の何れかに記載のケーブル端末処理具。
【請求項５】
前記突起部材（２）を、Ｆ型接栓の雌ネジに嵌合する雄ネジ（２ａ）を有したものとしたことを特徴とする請求項１〜４の何れかに記載のケーブル端末処理具。
【請求項６】
前記突起部材（２）を、ＢＮＣコネクタの雌側接続規格に嵌合する雄側接続規格を有したものとしたことを特徴とする請求項１〜４の何れかに記載のケーブル端末処理具。
【請求項７】
前記段付貫通穴（５）を、前記ベース材（１）を手で握った状態において、掌の下半部に位置するようにしたことを特徴とする請求項３〜６の何れかに記載のケーブル端末処理具。
【発明の詳細な説明】
【技術分野】
【０００１】
この発明は、各種機器等に同軸ケーブルを接続する際に用いるコネクタを、その同軸ケーブルに装着したり、あらかじめ同軸ケーブルの端末処理をしておくことができるケーブル端末処理具に関するものである。
【背景技術】
【０００２】
従来、同軸ケーブルにＦ型接栓やＢＮＣコネクタなどのコネクタを組み付ける際には、ペンチ等の工具を用いてコネクタを保持しつつ、端末処理済みの同軸ケーブルをコネクタに挿入して固定用のリング部を別のペンチ等の工具を用いて潰し加工を施し、コネクタと同軸ケーブルを固定していた。
【０００３】
また、同軸ケーブルにコネクタを組み付ける工具として、例えば図１１に示したようなＦ型接栓装着工具が存在する。このＦ型接栓装着工具は、同軸ケーブル案内部１１と接栓装着部１２とで構成されている。同軸ケーブル案内部１１は、同軸ケーブル押さえ手段１３を有する同軸案内溝１４が設けられると共に、Ｆ型接栓の圧入時に支えとなる握り支持腕１５を設けている。接栓装着部１２は、Ｆ型接栓取付部１６と、Ｆ型接栓の圧入時に案内する圧入案内板１７と、装着操作する握り部１８とで構成されている。（特許文献１）
さらに、従来、同軸ケーブルは、内部導体、絶縁体、外部導体、外側シースより構成されており、各部材の突出量（剥き長さ）は概ね決められているため、作業時にその突出量を物差し等によって計測しながら各部材の剥き加工を実施していた。
【０００４】
また、同軸ケーブルの各部材の剥き加工をする工具として、例えば図１２に示したような同軸ケーブル端末処理工具を初め、数多くのものが存在する。この同軸ケーブル端末処理工具は、対向配置された一対のローラ２１と、カット位置決めケーブルストッパ２２と、第１の刃２３と、第２の刃２４と、これら第１の刃２３と第２の刃２４をローラ２１に対して接離自在とする接離機構２５とを具備したものとしている。カット位置決めケーブルストッパ２２は、ローラ２１に近接してローラ２１と共に同軸ケーブルＡを保持し、ローラ２１の長手方向に沿って移動自在にしている。第１の刃２３は、ローラ２１上にローラ２１に直交して臨み、同軸ケーブルＡの外側シース、外部導体および絶縁体を切断するようにしている。第２の刃２４は、ローラ２１上にローラ２１に直交して臨み、かつローラ２１の長手方向に向きを可変可能で長手方向に移動自在であって、同軸ケーブルＡの外被膜を切断するようにしている。（特許文献２）
【特許文献１】実用新案登録第３１３０１０４号公報（図１）
【特許文献２】特許第２６８９８８２号公報（図１）
【発明の開示】
【発明が解決しようとする課題】
【０００５】
しかしながら、ペンチ等の工具を用いた場合、コネクタ自体のサイズが小さく手では保持しにくいため、コネクタの固定リングの潰し加工を行う際には、同軸ケーブルが自重でコネクタから外れそうになるのを防ぎつつ、コネクタと固定リングを同時に別の工具で挟む必要があり、作業性が悪く手間と時間がかかるという課題を有していた。
【０００６】
さらに、前記Ｆ型接栓装着工具は、持ち運びができるものの嵩が高く、またＦ型接栓コネクタの装着にしか対応できず、他のコネクタの装着には対応できないという課題を有していた。また、このＦ型接栓装着工具では、同軸ケーブルの端末処理を行うことはできず、同軸ケーブルは予め別の工具を用いて端末処理をしたものを用いなければならず、作業性に劣るという課題を有していた。
【０００７】
また、同軸ケーブルの端末処理においては、内部導体、絶縁体、外部導体、外側シースの剥き長さが概ね決められており、正しく接続するためには、内部導体、絶縁体、外部導体、外側シースの剥き長さを物差し等で測定しながら刃物や工具を用いて加工しなければならず、コネクタ組付け前の同軸ケーブルの端末処理に手間と時間がかかるという課題を有していた。
【０００８】
さらに、前記同軸ケーブル端末処理工具は、操作性に優れてはいるものの大掛かりな工具であり、持ち運びするには困難であるという課題を有していた。また、この同軸ケーブル端末処理工具では、端末処理した同軸ケーブルにコネクタを組み付けることができず、この組み付けを別の工具を用いて行わなければならいという課題を有していた。
【０００９】
そのため、同軸ケーブルへのコネクタ組付け加工においては、容易にコネクタが保持できて加工性が良いコネクタ装着具と、組付け加工前の同軸ケーブルの剥き加工においても容易に剥き長さを揃えることができる同軸ケーブル端末処理具を兼ねた用具が開発されることが待ち望まれていた。
【００１０】
そこで、この発明は、上記従来の課題を解決するものであり、嵩が低く持ち運びに便利であり、各規格サイズの同軸ケーブルおよび各種のコネクタに対応することができ、しかも同軸ケーブル剥き長さを容易に揃えることができ、かつ組付け加工時のコネクタのホールド性を高めコネクタ組付け時の加工性に優れたケーブル端末処理具を提供することを目的としてなされたものである。
【課題を解決するための手段】
【００１１】
この発明のケーブル端末処理具は、掌に収まりやすい大きさと形状を有したベース材１に、コネクタＣの雌側規格に適合した雄側規格を有する突起部材２を取り付けたものとすると共に、前記ベース材１の側面を同軸ケーブルＡの外側シースＡａの剥き長さに合わせた寸法に設定したものとしている。
【００１２】
さらに、この発明のケーブル端末処理具は、前記ベース材１に、前記突起部材２を着脱自在として取り付けたものとしている。
【００１３】
さらに、この発明のケーブル端末処理具は、前記ベース材１に、各種規格サイズの同軸ケーブルＡの外側シースＡａの外径が段５ａの位置まで通過できるように大径にし、段５ａの位置から先は絶縁体Ａｃの外径のみが通過できるように小径にした複数の段付貫通孔５を設けたものとしている。
【００１４】
さらに、この発明のケーブル端末処理具は、前記突起部材２を、ベース材１を手で握った状態において、掌の上半部に位置するようにしたものとしている。
【００１５】
さらに、この発明のケーブル端末処理具は、前記突起部材２を、Ｆ型接栓の雌ネジに嵌合する雄ネジ２ａを有したものとしている。
【００１６】
さらに、この発明のケーブル端末処理具は、前記突起部材２を、ＢＮＣコネクタの雌側接続規格に嵌合する雄側接続規格を有したものとしている。
【００１７】
さらに、この発明のケーブル端末処理具は、前記段付貫通穴５を、前記ベース材１を手で握った状態において、掌の下半部に位置するようにしたものとしている。
【発明の効果】
【００１８】
この発明のケーブル端末処理具は、以上に述べたように構成されているので、同軸ケーブルへの小さなコネクタの組付けや、前処理となる同軸ケーブルの端末処理が容易にできるので、現場での作業者の利便性が高くなり作業効率が非常に良くなるものとなった。
【発明を実施するための最良の形態】
【００１９】
以下、この発明のケーブル端末処理具を実施するための最良の形態を、図面に基づいて詳細に説明する。
【００２０】
この発明のケーブル端末処理具は、図１、２に示したようにベース材１にコネクタＣの雌側規格に適合した雄側規格を有する突起部材２を取り付けている。そして、コネクタＣに連結される同軸ケーブルＡは、外側シースＡａ、外部導体Ａｂ、絶縁体Ａｃ、内部導体Ａｄによって構成されており、使用するコネクタＣの種類により各部材の突出量（剥き長さ）が概ね決められており、例えば図３に示したように端末処理が施される。
【００２１】
ベース材１は、掌に収まりやすい大きさと形状を有したものとしている。すなわち、ベース材１は、板状体としており、掌に沿う側面１ａと、親指の腹に沿う側面１ｂと、人差指、中指、薬指および小指のそれぞれの腹に沿う側面１ｃとを有した形状にしている。
【００２２】
突起部材２は、Ｆ型接栓の雌ネジに嵌合する雄ネジ２ａを有したものとしたり、ＢＮＣコネクタの雌側接続規格に嵌合する雄側接続規格を有したものとしており、ベース材１を手で握った状態において、掌の上半部に位置するようにしてこのベース材１に設けた貫通孔３を介して、図４に示したように、背面より止着用ネジ４にて表面に着脱自在として取り付けられたり、図５に示したように、正面より止着用ネジ４にて背面に着脱自在として取り付けられている。したがって、突起部材２は、ベース材１の正面側、背面側の任意の側に取り付けることができる構造となっている。そして、貫通孔３の内部には、図６（ａ）に示したように、突起部材２のフランジ部２ｂおよび止着用ネジ４の頭部４ａの着座部３ａを設けたものとしており、突起部材２のフランジ部２ｂおよび止着用ネジ４の頭部４ａがベース材１の正面、背面に突出しないようにしている。なお、図示したものは、突起部材２は、ＴＶアンテナ用のＦ型接栓（コネクタ）に適合したものとしているが、測定器等に用いるＢＮＣ型のコネクタ（図示せず）に適合したものなどにすることで、各種の同軸ケーブルＡに対応することが可能となる。
【００２３】
さらに、ベース材１は、その側面１ａ〜１ｃを同軸ケーブルＡの外側シースＡａの剥き長さ（例えば、約１１ｍｍ）に合わせた寸法に設定されている。したがって、図７に示したように、ベース材１の側面１ａ〜１ｃに同軸ケーブルＡを合わせることで、外側シースＡａの剥き長さを決めることができる。外部導体Ａｂは、外側シースＡａより目測にて約１ｍｍ程度を残して不要な部分を刃物Ｋなどで切除することができる。
【００２４】
また、ベース材１には、図６（ｂ）〜（ｅ）に示したように、各種規格サイズの同軸ケーブルＡの外側シースＡａの外径が段５ａの位置まで通過できるように大径にし、段５ａの位置から先は絶縁体Ａｃの外径のみが通過できるように小径にした複数の段付貫通孔５が、ベース材１を手で握った状態において、掌の下半部に位置するようにして設けられている。すなわち、外側シースＡａの外径が通過できる段５ａの位置までの段付貫通孔５の深さは、ベース材１の側面厚みから、規定されている絶縁体Ａｃの突出量を差し引いた深さに寸法を設定されている。
【００２５】
したがって、外側シースＡａと外部導体Ａｂを剥き、絶縁体Ａｃが露出された状態の同軸ケーブルＡを段付貫通孔５に挿入すると、ベース材１の背面より絶縁体Ａｃが露出された状態となる。すると、前記段付貫通孔５の段５ａの位置までの寸法によって、ベース材１の背面と絶縁体Ａｃの際となる部分から露出された先端側が、絶縁体Ａｃを剥く長さとなるため、この際の部分に目印を付けるなどして、図８に示したように、内部導体Ａｄを傷つけないように注意しながら、刃物Ｋなどで絶縁体Ａｃを切除することができる。
【００２６】
また、ベース材１に設けた段付貫通孔５の寸法は、対応するコネクタＣの同軸ケーブルＡに合わせて、その外径および段５ａまでの深さなどの設定を変更することで、各種同軸ケーブルＡの剥き長さに対応することが可能であり、各種コネクタＣおよびケーブルＡに適合したものとすることが可能となる。
【００２７】
以上のように構成したこの発明のケーブル端末処理具は、コネクタＣを突起部材２に保持した後に、コネクタＣ自体をベース材１ごと片方の手で保持して、図９に示したように、端末処理済みの同軸ケーブルＡを差し込み、もう片方の手でペンチなどの工具を用いて、図１０に示したように、コネクタＣの固定リングＲの潰し加工を行うことが可能となる。つまり、コネクタＣを掌で保持しつつ、その指先で同軸ケーブルＡを支えることができるので、片方の手はペンチなどの工具による固定リングＲの潰し加工に集中できる。
【００２８】
さらに、ベース材１を、掌に沿う側面１ａと、親指の腹に沿う側面１ｂと、人差指、中指、薬指および小指のそれぞれの腹に沿う側面１ｃとを有した形状にしたものでは、このベース材１がより手に馴染むものとなり、前記作業などがより行い易いものとなる。
【００２９】
また、ベース材１を手で握った状態において、突起部材３を掌の上半部に位置するようにしたものでは、ペンチなどの工具による固定リングＲの潰し加工がより行い易いものとなる。
【００３０】
さらに、ベース材１を手で握った状態において、段付貫通穴５を掌の下半部に位置するようにしたものでは、同軸ケーブルＡの絶縁体Ａｃの切除作業がより行い易いものとなる。
【００３１】
また、突起部材３は、ベース材１の正面、背面のどちらにも突出して取り付けることが可能となるので、作業者が右利きでも左利きでも作業しやすい方向に設定することができる。
【００３２】
さらに、この発明のケーブル端末処理具は、前記したように、ベース材１の側面を用いて同軸ケーブルＡの外側シースＡａと外部導体Ａｂの剥き長さを決めて剥き加工を行うことができる。
【００３３】
そして、この外側シースＡａと外部導体Ａｂを剥いて絶縁体Ａｃがむき出しになった状態の同軸ケーブルＡを、前記所定の規格サイズの貫通孔３に挿入すると、前記したように、ベース材１の背面より絶縁体Ａｃの不要な部分が露出するので、ベース材１の背面の間際の露出部分に目印を付けるなどして、その位置で内部導体Ａｄを切断しないように注意しながら、絶縁体Ａｃのみを刃物などの工具を用いて切除することができる。
【００３４】
上記の手順により、この発明のケーブル端末処理具は、物差しを用いることなく同軸ケーブルの端末処理を施すことが可能となる。
【００３５】
したがって、この発明のケーブル端末処理具は、前記したように、コネクタＣを掌で保持しつつ、その指先で同軸ケーブルＡを支えることができるので、片方の手は工具によるリングＲの潰し加工に集中でき作業性が向上する。また、同軸ケーブルＡの端末処理においても、物差しを用いることなく同軸ケーブルに所定の長さの剥き加工を施すことが可能となるので、現場で作業を行う人の利便性を向上させることができるものとなる。
【図面の簡単な説明】
【００３６】
【図１】この発明のケーブル端末処理具の一実施形態を示す斜視図である。
【図２】この発明のケーブル端末処理具の正面図である。
【図３】コネクタに連結される同軸ケーブルの斜視図である。
【図４】この発明のケーブル端末処理具の分解斜視図である。
【図５】この発明のケーブル端末処理具の分解斜視図である。
【図６】この発明のケーブル端末処理具の断面図を示し、（ａ）は図２中のＡ−Ａ線断面図であり、（ｂ）は図２中のＢ−Ｂ線断面図であり、（ｃ）は図２中のＣーＣ線断面図であり、（ｄ）は図２中のＤーＤ線断面図であり、（ｅ）は図２中のＥーＥ線断面図である。
【図７】この発明のケーブル端末処理具のベース材の側面に同軸ケーブルを合わせた状態を示す斜視図である。
【図８】この発明のケーブル端末処理具を用いて同軸ケーブルの絶縁体を切除する状態を示す斜視図である。
【図９】この発明のケーブル端末処理具を用いて同軸ケーブルにコネクタを組み付ける状態を示す斜視図である。
【図１０】この発明のケーブル端末処理具を用いて同軸ケーブルにコネクタを組み付け終わった状態を示す斜視図である。
【図１１】従来のコネクタ装着具の一例を示す斜視図である。
【図１２】従来の同軸ケーブル端末処理具の一例を示す斜視図である。
【符号の説明】
【００３７】
１  ベース材
２  突起部材
２ａ  雄ネジ
５  段付貫通孔
５ａ  段
Ｃ  コネクタ
Ａ  同軸ケーブル
Ａａ  外側シース
Ａｃ  絶縁体
【図１】
2010067467.tif 000003
【図２】
2010067467.tif 000004
【図３】
2010067467.tif 000005
【図４】
2010067467.tif 000006
【図５】
2010067467.tif 000007
【図６】
2010067467.tif 000008
【図７】
2010067467.tif 000009
【図８】
2010067467.tif 000010
【図９】
2010067467.tif 000011
【図１０】
2010067467.tif 000012
【図１１】
2010067467.tif 000013
【図１２】
2010067467.tif 000014